(57)【要約】【課題】本発明の課題は、成形性が良く、且つ指が当接し難い位置にゲート跡を形成した筆記具のキャップを提供することである。【解決手段】本発明は、少なくともキャップ本体を射出成形型により成形し、該キャップ本体の先端部に頭冠を装着してなる合成樹脂製の筆記具のキャップであって、前記キャップ本体の外壁面に突起を一体に成形し、該突起の頂面の高さが、突起の先端面に向かって徐々に小さくなる傾斜状に形成するとともに、前記突起の先端面近傍で、且つ前記突起の頂面のキャップ先端側への延長線よりも内側に、ゲート跡を形成したことを特徴とする。【選択図】      図１
2008055833.tif 000002
【特許請求の範囲】
【請求項１】
少なくともキャップ本体を射出成形型により成形し、該キャップ本体の先端部に頭冠を装着してなる合成樹脂製の筆記具のキャップであって、前記キャップ本体の外壁面に突起を一体に成形し、該突起の頂面の高さが、突起の先端面に向かって徐々に小さくなる傾斜状に形成するとともに、前記突起の先端面近傍で、且つ前記突起の頂面のキャップ先端側への延長線よりも内側に、ゲート跡を形成したことを特徴とする筆記具のキャップ。
【請求項２】
前記頭冠の後端が、前記ゲート跡より後方側に位置するとともに、前記キャップ本体を透明とし、前記頭冠を不透明又は半透明としたことを特徴とする請求項１に記載の筆記具のキャップ。
【発明の詳細な説明】
【技術分野】
【０００１】
本発明は、少なくともキャップ本体を射出成形型により成形される合成樹脂製の筆記具のキャップに関する。
【背景技術】
【０００２】
従来から、筆記具の部品である合成樹脂製のキャップは、重量も軽く樹脂材のもつ材質感と、樹脂の材料により色々な製品を射出成形によって製作することが可能であるため、合成樹脂製のキャップは様々な筆記具に使用されている。合成樹脂としては、アクリル樹脂、ＡＢＳ樹脂、ＡＳ樹脂、ＰＰ樹脂、ＰＣ樹脂、またはＰＥＴ樹脂等が主として使用される。
【０００３】
こうした射出成形を用いる場合には、成形品に必ずゲート跡が残るという問題を抱えている。通常、単型によるキャップの成形では、成形性や、指が当接し難い位置等を考慮してキャップ本体の先端面または後端面にゲート跡を形成してある。
【０００４】
また、キャップ本体の先端部に頭冠を２色成形した場合も同様に、２色成形における第二行程となる２次成形時にゲート跡を形成するため、どうしてもゲート跡が表面に出てしまう。そのため、ゲート跡を隠すために色々と工夫が行われている。例えば、特開２００２−６７５６７号公報「グリップ付き軸筒及びその軸筒の成形方法」に記載のように、軸筒本体の外周に２色成形によってグリップ部が設けられたグリップ付き軸筒において、グリップ部の端面にゲート跡を形成することにより、グリップ部の外周面に凸状又は凹状のゲート跡を露出させない２色成形部品の技術が開示されている。
【０００５】
特許文献１では、ゲート跡を目立たなくする方策として、グリップが形成された軸筒の後端側に、接続部材が螺合接続されるよう形成させ、接続部材の端面をグリップのゲート跡に当接してゲート跡を隠すようにしている。このような方策の場合には、確かにゲート跡を隠すことはできるが、グリップ部材のように、どちらか一方の材質を軟質樹脂とする必要があり、キャップ本体と頭冠または筆記具本体のように、硬質合成樹脂同士の接続では、ゲート跡によって接続部材との間に隙間が発生する恐れがある。
【０００６】
こうした問題を鑑みて、本願出願人は、特開２００４−３５１７２９号公報「筆記具または塗布具の部品及びそれを用いた筆記具または塗布具」に、外装本体に対向する面を有する装飾的な突起を設け、該突起の該外装本体に対向する面にゲート跡を形成することを開示している。
【特許文献１】「特開２００２−６７５６７号公報」
【特許文献２】「特開２００４−３５１７２９号公報」
【発明の開示】
【発明が解決しようとする課題】
【０００７】
しかし、デザイン上等の理由から、外装本体に対向する面を有する突起を形成できない場合もあるため、ゲート跡による不具合の発生を防止する新たな方策が要望されている。
【０００８】
ところで、クリップを設けていない筆記具のキャップは、キャップを筆記具本体の先端部又は後端部に装着した状態で、机などに置いた場合には、キャップ本体が回転してしまい、机から落下する等の不具合が生じる。そのため、キャップの外壁面に転がり防止の突起を形成していた。
【０００９】
本発明は、こうした問題に鑑み本発明者が成形技術を利用した筆記具のキャップについて検討した結果、成形性が良く、且つ指が当接し難い位置にゲート跡を形成した筆記具のキャップを提供するものである。
【課題を解決するための手段】
【００１０】
本発明は前記目的を達成するために、少なくともキャップ本体を射出成形型により成形し、該キャップ本体の先端部に頭冠を装着してなる合成樹脂製の筆記具のキャップであって、前記キャップ本体の外壁面に突起を一体に成形し、該突起の頂面の高さが、突起の先端面に向かって徐々に小さくなる傾斜状に形成するとともに、前記突起の先端面近傍で、且つ前記突起の頂面のキャップ先端側への延長線よりも内側に、ゲート跡を形成したことを特徴とする。
【００１１】
また、前記頭冠の後端が、前記ゲート跡より後方側に位置するとともに、前記キャップ本体を透明とし、前記頭冠を不透明又は半透明としたことを特徴とする。
【００１２】
尚、本発明において、筆記具のキャップの筆記具本体を装着するために開口した側を後端又は後方とし、その反対側を先端又は前方という。
【発明の効果】
【００１３】
本発明の筆記具のキャップは前述したような構造なので、成形性が良く、且つ指が当接し難い位置にゲート跡を形成した筆記具のキャップを提供することができる。
【発明を実施するための最良の形態】
【００１４】
本発明の実施例を図面を用いて説明する。同じ部材、同じ箇所を示すものは同じ符号を付す。
【００１５】
図１から図４に示す実施例１の筆記具のキャップ１は、１次成形によって先端部に青色の半透明の頭冠３を成形し、２次成形によってポリカーボネート樹脂（ＰＣ樹脂）にて透明のキャップ本体２を成形して筆記具のキャップ１を得ている。この時、キャップ本体２は、外壁を光沢面とし、キャップ本体２の後端部に微細な凹凸を一体に形成した梨地面からなる滑り止め部５を周状に形成してある。また、頭冠３内にはペン先部を密閉するシール部材６を付設してある。
【００１６】
更にまた、キャップ本体２の外壁面には、転がり防止用の突起４を一体に成形してある。この突起４は、頂面４ａの高さが、キャップ本体２の外壁からの高さＬ１が最も長くなる頂部Ｔから突起４の先端面４ｂに向かって徐々に小さくなる傾斜状に形成（Ｌ１＞Ｌ２＞Ｌ３）してある。
【００１７】
キャップ本体２は、突起４の先端面４ｂより前方で、且つ突起４の頂面４ａのキャップ先端側への延長線Ｍ１より内側に、ゲート跡Ｇ１を形成してある。
【００１８】
キャップ本体２の外壁面と同様に、突起４の頂面４ａの高さＬ１、Ｌ２、Ｌ３が、キャップ本体２の先端部の外壁面に向かって徐々に小さくなる傾斜状に形成することで、携帯性が向上するとともに、外観上も好ましい。
【００１９】
ところで、前述した通り、樹脂成形ではゲートについて色々と検討されている。一般的にゲートの近傍と遠方とでは、成形圧力に差がでるので、成形品の樹脂密度、流動性等に影響がでてくる。また、固化する冷却時間差によるヒケや歪も出てくる。こうした現象は、ゲートから離れた位置で発生し易い。
【００２０】
本願発明の筆記具のキャップは、突起の先端面４ｂ近傍をゲート位置とし、突起４の頂面４ａの延長線Ｍ１よりも内側にゲート跡Ｇ１を形成することによって、突起４のヒケが発生し難くなるとともに、指がゲート跡Ｇに当接し難くすることができる。
【００２１】
また、キャップ本体２を透明とし、頭冠３を半透明とすることで、頭冠３とキャップ本体２が重なり合う部分は、外部から半透明の頭冠３が見えるため、頭冠３の後端３ａを、ゲート跡Ｇ１を形成した部分より後方側の位置に形成することによって、ゲート跡Ｇ１を形成した部分は、半透明の頭冠３によって外部から視認し難くなるので好ましい。
【００２２】
図４に示す実施例２の筆記具のキャップ１１は、キャップ本体２の外壁面に、クリップ部１４ｃを有する突起１４を一体に成形してある。このクリップ用の突起１４は、頂面１４ａの高さが、突起１４の先端面１４ｂに向かって徐々に小さくなる傾斜状に形成した以外は、実施例１と同様にして筆記具のキャップ１１を得ている。
【００２３】
筆記具のキャップ１１は、実施例１と同様に、突起１４の先端面近傍をゲート位置とし、突起１４の頂面１４ａの延長線Ｍ２よりも内側にゲート跡Ｇ２を形成してある。
【００２４】
尚、本発明における突起４、１４は、例えば、頂面４ａ、１４ａが、平面状、曲面状のもの等、突起４、１４の頂面４ａ、１４ａの高さが、突起の先端面に向かって徐々に小さくなっていれば、形状は特に限定されるものではなく、転がり防止用の突起やクリップの突起等、キャップ本体の外壁面に突起を一体に成形してあればよい。
【００２５】
また、図示はしないが、本発明の実施の形態における筆記具のキャップは、ボールペンチップを備えたインキ収容筒を収容した軸筒等の筆記具本体に着脱自在に装着して筆記具として用いることができる。尚、軸筒等の形状や内部構造の詳細については、本発明の要旨外であるので詳述は省略する。
【００２６】
本実施例では、便宜上、筆記具のキャップをポリカーボネート（ＰＣ樹脂）で形成してあるが、アクリル樹脂、ＡＢＳ樹脂、ＡＳ樹脂、ＰＰ樹脂、ＰＣ樹脂、またはＰＥＴ樹脂等の合成樹脂材料など、筆記具用キャップして一般的に用いられる合成樹脂材料のなかから適宜選定すればよいが、頭冠の後端が、ゲート跡を形成した部分よりも後方側に位置するとともに、キャップ本体を透明とし、頭冠を不透明又は半透明とすることによって、ゲート跡が見難くなるので好ましい。
【００２７】
また、本実施例では便宜上、キャップ本体と頭冠を２色成形にて得ているが、キャップ本体と頭冠を個々に成形し、これらを装着して筆記具のキャップを得ても良いが、製造上、キャップ本体と頭冠を２色成形することが好ましい。
【産業上の利用可能性】
【００２８】
本発明の筆記具のキャップは、ボールペンやマーカーなど、インキの種類やペン先形状に限定されることなく使用することができる。
【図面の簡単な説明】
【００２９】
【図１】実施例１の筆記具のキャップを示す、外観図である。
【図２】図１における縦断面図である。
【図３】図２におけるＡ−Ａ断面図である。
【図４】実施例２の筆記具のキャップを示す、縦断面図である。
【符号の説明】
【００３０】
１、１１  筆記具のキャップ
２、１２  キャップ本体
３  頭冠
４  突起
４ａ  頂面
４ｂ  先端面
５  滑り止め部
６  シール部材
Ｌ１、Ｌ２、Ｌ３  突起の頂面の高さ
Ｍ１、Ｍ２  延長線
Ｇ１、Ｇ２  ゲート跡
【図１】
2008055833.tif 000003
【図２】
2008055833.tif 000004
【図３】
2008055833.tif 000005
【図４】
2008055833.tif 000006